(57)【要約】      （修正有）【課題】背高い直方体形状でかつ重量物製品について、少ない人手による作業を想定し、運搬荷扱いしやすくするだけでなく万一の転倒時にも傷つき変形を防止し、なおかつ省資源包装を実現する包装部材を提供する。【解決手段】略直方体である製品本体１の上面を包装用天カバー８で覆い、その製品本体１の側面の対向する２面を両サイド板１０で覆う。また、製品本体１を底面から固定する包装用固定台９と包装用天カバー８と包装用固定台９を輪状の包装用バンド１２により締結し、両サイド板を輪状の包装用バンド１３により締結する。さらに、両サイド板１０の両端縦方向に設けた補強柱１１と接するようにして包装用天カバー８と製品本体１との間にＬ型形状の補強材８−１を備える。【選択図】図１
2006321547.tif 000002
【特許請求の範囲】
【請求項１】
略直方体である製品本体の上面を覆う包装用天カバーと、前記製品本体の側面の対向する２面を覆う両サイド板と、前記製品本体を底面から固定する包装用固定台と、前記包装用天カバーと前記包装用固定台を締結する輪状の包装用バンドと、前記両サイド板を締結する輪状の包装用バンドとを有し、前記両サイド板の両端縦方向に設けた補強柱と接するようにして前記包装用天カバーと前記製品本体との間にＬ型形状の補強材を備えた包装部材。
【請求項２】
両サイド板は製品本体正面または裏面の左右両面側から突出して設けられる請求項１記載の包装部材。
【請求項３】
両サイド板端面から製品本体正面までの奥行きスペースと前記本体製品本体背面までの奥行きスペースとに緩衝材を設けた請求項１または２記載の包装部材。
【請求項４】
両サイド板と補強柱とにトッテを設ける請求項３記載の包装部材。
【請求項５】
両サイド板と補強柱は紙を材料とする請求項１から４のいずれか１項に記載の包装部材。
【発明の詳細な説明】
【技術分野】
【０００１】
本発明は、背高さのある重量物製品の包装部材に関するものである。
【背景技術】
【０００２】
従来のこの種の包装部材は、図４及び図５に示すものである（例えば、特許文献１参照）。図１に示す包装部材は、補強機４１を有する包装天カバー４２と、包装天カバー４２を支える包装支柱４３と、製品４４の側面を覆う包装側面カバー４５と、包装固定台４６とを備えている。そして、包装支柱４３は長手方向が包装側面カバー４５に垂直な断面形状となるように成形されているので、少人数の力だけでも製品を荷台などへ積み下ろすことが可能である。
【０００３】
また、図５は包装部材を上から見た断面図であり、包装支柱４３の断面形状は製品４４の角部分に対して２辺と接していることから、製品４４側面側から加わる力に対して安定を保つことができる。
【特許文献１】特開２００２−３４７８８０号公報
【発明の開示】
【発明が解決しようとする課題】
【０００４】
しかしながら、フォークリフトなど重量物を運搬するための機械設備は製品本体の設置現場では必ずしも用意されておらず、荷台への積み降ろし作業など、高さの異なる場所へ製品を運搬する場合に、従来の技術では、製品の重量と大きさの問題から多くの人手が必要であり、非常に非効率的であった。また、少ない人手によりこのような作業を行う場合には、製品を斜めに傾けて、製品の側面を荷台の端面にあてて製品の荷重を荷台に預けながら、人の力によって製品を斜め上下方向に移動させることによる作業方式が行われていた。
【０００５】
しかしながら、図５に示すような包装支柱６の断面形状では、この作業の反動と手の滑りなどが原因で、人のいる側と反対の側面より製品が転倒し、傷ついたり、変形したりすることが多くあり、特に製品の角部分では包装支柱が当たることにより、設置以前に傷や凹みが生じやすくなっていた。
【０００６】
本発明は、上記課題を解決するものであり、少ない人手による作業を想定し、補強材とトッテをそなえた両サイド板を設けることで、製品側面を荷台の端面にあてた場合にも荷台からの応力が直接的に製品側面にかからなく、トッテが手滑りを防止するとともに、万一作業の反動で、人のいる側と反対の側面より製品が転倒した場合にも、転倒時の衝撃が直接的に反対の側面にかからなくすることで、荷扱い性のよい包装部材が実現できるものである。
【課題を解決するための手段】
【０００７】
上記課題を達成するため本発明の貯湯式給湯機は、略直方体である製品本体の上面を覆う包装用天カバーと、製品本体の側面の対向する２面を覆う両サイド板と、製品本体を底面から固定する包装用固定台と、包装用天カバーと包装用固定台を締結する輪状の包装用バンドと、両サイド板を締結する輪状の包装用バンドとを有し、両サイド板の両端縦方向に設けた補強柱と接するようにして包装用天カバーと製品本体との間にＬ型形状の補強材を備えた構成としている。
【０００８】
上記発明によれば、製品本体は従来のように直接的に応力を受けることがなくなり、製品の傷つきや変形が防止できるだけでなく、万一作業中の手滑りが原因で製品を人のいる側と反対側に転倒させ、器物との衝突が避けられなかった場合には、衝撃は同じ両サイド板の反対側の補強柱により受け止めることができて、製品の傷つきや変形が防止でき、極めて単純な包装部材の構成でありながら、衝撃に強く荷扱い性のよい包装部材が実現できる。
【発明の効果】
【０００９】
本発明の包装部材は、少ない人手による作業を想定し、製品側面を荷台の端面にあてた場合に、荷台からの応力は両サイド板の両端縦方向にある補強柱にかかることで、製品は従来のように直接的に応力を受けることがなくなり、製品の傷つきや変形が防止でき、衝撃に強く荷扱い性のよい包装部材が実現できる。
【発明を実施するための最良の形態】
【００１０】
第１の発明は、略直方体である製品本体の上面を覆う包装用天カバーと、製品本体の側面の対向する２面を覆う両サイド板と、製品本体を底面から固定する包装用固定台と、包装用天カバーと前記包装用固定台を締結する輪状の包装用バンドと、両サイド板を締結する輪状の包装用バンドとを有し、両サイド板の両端縦方向に設けた補強柱と接するようにして包装用天カバーと製品本体との間にＬ型形状の補強材を備えるものである。昨今の省力化された作業環境に対応し、特に背が高く重量物である製品をひとりで運搬するような場合において、運送用車両の荷台への積み降ろしは、製品側面を荷台に当て、荷重を預けながらずらして作業することが多く、本発明では包装用天カバーに備えたＬ型形状の補強材に手を掛け、両サイド板の両端縦方向に設けた補強柱を荷台に当てることができる。荷台からの応力は両サイド板の両端縦方向にある補強柱にかかり、製品は従来のように直接的に応力を受けることがなくなり、製品の傷つきや変形が防止できるだけでなく、万一作業中の手滑りが原因で製品を人のいる側と反対側に転倒させ、器物との衝突が避けられなかった場合には、衝撃は同じ両サイド板の反対側の補強柱により受け止めることができて、製品の傷つきや変形が防止でき、極めて単純な包装部材の構成でありながら、衝撃に強く荷扱い性のよい包装部材が実現できる。
【００１１】
また、製品本体の形状や重量が非常に特徴的であるため、荷扱い時に製品本体にかかるストレスはおおむね一定で、それは製品側面の荷台からの応力や転倒時は反対側面への衝撃となるが、両サイド板の両端縦方向にある補強柱がこれを受け、側方より締結する輪状の包装用バンドと上下方向から締結する輪状の包装用バンドにより応力を緩和しながら包装用固定台に力を逃がし、最終的に製品本体の傷つき変形を防止することができるようになる。Ｌ型補強材は、応力を緩和しながら包装用天カバー全体に力を逃がすことにより製品本体の傷つき変形を防止している。
【００１２】
また、倉庫などで製品を多段積みして保管する場合には両サイド板の両端縦方向にある補強柱が製品上方からの圧縮荷重をささえることができるうえに、さらに大きな荷重により補強柱がたわむような場合にも、側方より締結する輪状の包装用バンドがこれを防止して、この荷重をささえることができる。
【００１３】
第２の発明は、特に、第１の発明において、両サイド板は製品本体正面または裏面の左右両面側から突出して設けられるものである。それによって、製品本体の外観および機能において他の面より重要となる操作面に対する傷つき変形の発生をより重点的に防止できる。また重要となる面に対する奥行きを十分長くし、操作面の一部を裸包装状態で視認できる構成にもすることが可能で、流通段階での荷受け時に問題となる傷つき変形が容易に確認することができ、荷扱い時の注意喚起の効果だけでなく、荷扱いの粗雑さが起因する問題の発生を防止できる。
【００１４】
第３の発明は、特に、第１または第２の発明において、両サイド板端面から製品本体正面までの奥行きスペースと前記本体製品本体背面までの奥行きスペースとに緩衝材を設けたものである。それによって、大きな振動のある輸送用自動車の荷台上で他の異なる形状、おおむねより小さな物体がこの製品本体に衝突する場合などが起因する傷つきや変形の発生を防止することができる。また側方より締結する輪状の包装用バンドと上下方向から締結する輪状の包装用バンドがこの緩衝材を介して製品本体の全ての面を抱える構成となるため、両サイド板がより安定して固定できるために、不特定の方向に製品本体がずれたり倒れたりする場合においても、この両サイド板が所定位置より外れることがない。
【００１５】
第４の発明は、特に、第３の発明において、両サイド板と補強柱とにトッテを設けるもので、手滑りの発生で製品を転倒させ、傷つきや変形の発生を防止することができる。またトッテを補強柱に設けることで、トッテそのものの強度が保証できるようになることと製品本体の重心をささえる位置にトッテを設けることが可能となる。
【００１６】
第５の発明は、特に、第１から第４のいずれか１つの発明において、両サイド板と補強柱の材料を紙とするものであり、包装用固定台を除く全ての包装部材が紙またはダンボール紙より製造することが可能となり、材料のリサイクル向上による省資源化が図れる。
【００１７】
以下、本発明の実施の形態について、図面を参照しながら説明する。なお、この実施の形態によって本発明が限定されるものではない。
【００１８】
（実施の形態）
図１は本発明の、実施の形態における包装完成の側面の断面図、図２は同包装完成の上方から見た断面図である。図３は包装完成品の荷扱い時の形態図である。
【００１９】
図１において、１は高さのある略直方体形状のＣＯ２ヒートポンプ給湯機の製品本体１であり、底部には平面形状の底板２とアンカーボルト固定用の穴３−１を有した凸形脚３を有し、天部は側面全てを上方より覆い被せ、側面からネジにより固定する構成とする縁を有する天板４と、側方正面の着脱可能で操作部５−１を有する前板５と、曲げ加工とネジにより固定した左右側板６と、背面板７とを有した構成としている。また、天板４は製品本体１設置時には耐震用の固定金具を取り付けることができるよう板厚を厚めにした強度設計がされている。
【００２０】
包装用天カバー８はＬ字型であるＬ型補強材８−１を介して製品本体１の天板４と接している。９は包装用固定台でアンカーボルト固定用の穴３−１を利用し凸形脚３をボルトナット締結することにより製品本体１を載置する部材であり、木製材料で構成され、製品本体１落下時にかかる衝撃を緩衝するとともに、屋外の水分を含んだ土や砂利を有する地面に接地しても損傷することがないようにしている。また製品本体１と包装用固定台９の間には固定台緩衝材９−１を有し製品本体１落下時に包装用固定台９にかかる衝撃を緩衝させている。
【００２１】
１０は両サイド板であり、左右側板６の２面を覆って対向するよう構成され、両サイド板１０の両端縦方向には補強柱１１を有しており、包装用固定台９上で包装用天カバー８を支える柱の役目を果すとともに、側方の衝撃で製品本体１が傷つくことを防止するようにしている。
【００２２】
１２は上下方向から締結する輪状の包装用バンドであり、包装用固定台９と包装用天カバー８を上下方向より製品本体１に密着固定している。１３は側方より締結する輪状の包装用バンドであり、対向する両サイド板１０を側方より製品本体１に密着固定している。特に、包装用バンド１３によれば、製品本体１と包装部材が固定されるので、製品本体１の側面側からの力に対して製品本体１が包装部材から抜け落ちたりすることがない。また、包装用バンド１３によれば、製品本体１の上部からの力に対して両サイド板１０が撓むことがないので、製品本体１が梱包された包装部材を上に積み重ねたとしても強度を保つことができる。
【００２３】
１１−１はトッテであり、補強柱１１中央部に手掛け可能な穴を開けることで設計されている。トッテ１１−１には荷扱い者が手を掛けて作業するため、手の力をできるだけ効率よく製品本体１に伝えるため、側方より締結する輪状の包装用バンド１３はトッテ１１−１にできる限り近づけて締結している。
【００２４】
前板５には操作部５−１があり、操作部５−１の内部近傍には本体制御部品を有しており、両サイド板１０の前方端から前板５までの奥行き寸法Ｄ１は、反対面の奥行き寸法ｄ２より大きく設定する（例えばＤ１はｄ２の２倍以上の長さとなるように設定する）とともに、操作部５−１が視認できるよう一部裸状態の包装としている。外観および機能において非常に重要な操作部５−１の傷つき変形の発生をより重点的に防止できる。また流通段階での荷受け時に問題となる傷つき変形が容易に確認することができ、荷扱い時の注意喚起の効果だけでなく、荷扱いの粗雑さが起因する問題の発生を防止できる。
【００２５】
以上のような包装部材の構成で、とくに少ない人手の作業環境で問題となる輸送用自動車の荷台への製品積みおろし作業について説明する。
【００２６】
昨今ではＣＯ2ヒ−トポンプ給湯機などの設備工事は省力化がすすんでいる。工事現場においても少ない人手の作業環境となっており、背高さのある重量物製品は非常に作業しづらいといわれている。作業者はおおむね図３に示すように作業Ａの要領でＬ型補強材８−１を持って製品本体１を荷台から降ろしたり上げたりする。
【００２７】
この時、製品本体１と荷台の接点部において、荷台よりａの力がかかってくるが、これは両サイド板１０の補強柱１１により支えられる。そして、両サイド板１０の前方端から前板５までの奥行き寸法Ｄ１を確保することにより、製品本体１の前面やその前面に設置された操作部５−１が荷台と接することがなく、傷や凹みといった変形が生じない。
【００２８】
その後、万一作業者の手滑りで作業Ｂの状態になると、反対面の補強柱１１に大きな衝撃ｂがかかってくる。特に製品本体１の上方にかかる衝撃はより大きくなる。
【００２９】
しかしながら、以上のような包装部材の構成により、衝撃による応力はＬ型補強材８−１を介して緩和され、包装用天カバー８全体に力を逃がすことができる。また、Ｌ型補強材８−１も設けることにより、たとえ衝撃ｂのような製品本体１の側面方向からの力が加わっても製品本体１には直接的な応力は一切かからず、製品本体１が包装部材から飛び出すこともなく、傷つき変形を防止する効果が著しく向上する。
【００３０】
さらに、倉庫などで製品本体１を多段積みして保管する場合には両サイド板１０の両端縦方向にある補強柱１１が上方からの圧縮荷重をささえることができるうえに、さらに大きな荷重により補強柱１１がたわむような場合にも、側方より締結する輪状の包装用バンド１３がこれを防止して、この荷重をささえることができる。
【００３１】
なお、両サイド板１０は左右対称形状となるよう設計しており、対向する面に同一品をそなえることができ、包装組み立て作業の簡素化が図れるだけでなく、部品製造段階においても省資源、省時間、省作業、省管理の実現が図れる。さらに、包装用固定台９以外の全ての包装部材をダンボール紙として構成すれば、製品本体１を保護するということも含め、省資源の観点から非常に大きな貢献ができる発明ということができる。
【産業上の利用可能性】
【００３２】
以上のように本発明に係る包装部材は、少ない人手による作業を想定し、製品側面を荷台の端面にあてた場合に、荷台からの応力は両サイド板の両端縦方向にある補強柱にかかることで、製品は従来のように直接的に応力を受けることがなくなり、製品の傷つきや変形が防止できるだけでなく、万一作業中の手滑りが原因で製品を人のいる側と反対側に転倒させ、器物との衝突が避けられなかった場合には、衝撃は同じ両サイド板の反対側の補強柱により受け止めることができて、製品の傷つきや変形が防止でき、極めて単純な包装部材の構成でありながら、衝撃に強く荷扱い性のよい包装部材が実現できる。
【図面の簡単な説明】
【００３３】
【図１】本発明の実施の形態１における包装部材の側面の断面図
【図２】同包装完成の上方から見た断面図
【図３】同包装完成の荷扱い時の形態図
【図４】従来の技術の構成図
【図５】従来の技術の上から見た断面図
【符号の説明】
【００３４】
１  製品本体
８  包装用天カバー
９  包装用固定台
１０  両サイド板
１１  補強柱
１２  上下方向から締結する輪状の包装用バンド
１３  側方から締結する輪状の包装用バンド
【図１】
2006321547.tif 000003
【図２】
2006321547.tif 000004
【図３】
2006321547.tif 000005
【図４】
2006321547.tif 000006
【図５】
2006321547.tif 000007